(57)【要約】【課題】時間単位や分単位の比較的短い時間で行われる１つの所定の生体活動に対する重量変動を把握することが可能な生体活動による変動測定装置を提供する。【解決手段】この生体活動による変動測定装置１００は、被測定者Ｐの1つの所定の生体活動の開始時から終了時までの間において、重量計測部１により複数回測定された被測定者Ｐの重量の各々を、測定時刻と関連付けられた重量データとして記憶する記憶部２と、記憶部２に記憶された一の重量データに基づいて設定される基準点における重量データと、他の重量データとの差分により重量データの変動量を取得する制御部３（変動量取得部３２１）と、制御部３により取得された1つの所定の生体活動に応じて変動する被測定者Ｐの重量データの基準点からの変動量を表示する表示部４とを備える。【選択図】図１
2018124242.tif 000002
【特許請求の範囲】
【請求項１】
被測定者の１つの所定の生体活動の開始時から終了時までの間において、重量計測部により複数回測定された前記被測定者の重量の各々を、測定時刻と関連付けられた重量データとして記憶する重量データ記憶部と、
前記重量データ記憶部に記憶された一の前記重量データに基づいて設定される基準点における前記重量データと、他の前記重量データとの差分により前記重量データの変動量を取得する制御部と、
前記制御部により取得された前記１つの所定の生体活動に応じて変動する前記被測定者の前記重量データの前記基準点からの前記変動量を表示する表示部とを備える、生体活動による変動測定装置。
【請求項２】
前記表示部は、前記１つの所定の生体活動としての１つの運動の開始時から終了時までの間において、測定された重量の減少量に基づいて、前記変動量を前記表示部に表示するように構成されている、請求項１に記載の生体活動による変動測定装置。
【請求項３】
前記制御部は、前記基準点からの前記変動量を、回帰分析により近似直線または近似曲線にフィッティングするとともに、前記フィッティングにより取得される前記近似直線または前記近似曲線に基づいて、複数の前記重量データの経過時間に伴う変動をグラフとして前記表示部に表示する制御を行うように構成されている、請求項１または２に記載の生体活動による変動測定装置。
【請求項４】
前記制御部は、前記重量データが所望の前記変動量に達するまでにかかる時間を、前記フィッティングにより取得された前記近似直線または前記近似曲線に基づいて推定して、前記表示部に表示する制御を行うように構成されている、請求項３に記載の生体活動による変動測定装置。
【請求項５】
前記制御部は、単位時間あたりに換算した前記重量データの前記変動量を、前記フィッティングにより取得された前記近似直線または前記近似曲線に基づいて、前記表示部に表示する制御を行うように構成されている、請求項３または４に記載の生体活動による変動測定装置。
【請求項６】
被測定者の１つの所定の生体活動の開始時から終了時までの間において、前記被測定者の重量を複数回測定するステップと、
複数回測定された前記重量の各々を測定時刻と関連付けられた重量データとして記憶するステップと、
記憶された一の前記重量データに基づいて設定される基準点における前記重量データと、他の前記重量データとの差分により前記重量データの変動量を取得するステップと、
取得された前記１つの所定の生体活動に応じて変動する前記被測定者の前記重量データの前記基準点からの前記変動量を表示するステップとを備える、生体活動による変動表示方法。
【請求項７】
前記変動量を表示するステップは、前記１つの所定の生体活動としての１つの運動の開始時から終了時までの間において、測定された前記重量の減少量に基づいて前記変動量を表示するステップを含む、請求項６に記載の生体活動による変動表示方法。
【発明の詳細な説明】
【技術分野】
【０００１】
本発明は、生体活動による変動測定装置および生体活動による変動表示方法に関し、特に、生体活動による被測定者の重量の変動を表示する生体活動による変動測定装置および生体活動による変動表示方法に関する。
【背景技術】
【０００２】
従来、生体活動による被測定者の重量の変動を表示可能な表示部を備えた生体活動による変動測定装置が知られている（たとえば、特許文献１参照）。
【０００３】
上記特許文献１には、体重や体脂肪量等を含む健康管理指標を取得する健康管理情報取得手段と、健康管理指標の取得時に関する情報を取得する取得時情報取得手段と、健康管理指標および取得時情報とに基づいて健康管理情報の履歴情報を得る履歴情報算出手段と、健康管理指標等の情報を表示する表示部とを備える健康管理指針アドバイス装置（生体活動による変動測定装置）が開示されている。また、表示部は、健康管理指標の時間経過を、数値等の文字情報やグラフにより表示するように構成されている。具体的には、減量開始時の体重と、減量開始時以外の過去あるいは現在の体重との差分による変動量を１ヶ月あたりの変動量に換算して表示したり、減量開始時から目標期間経過までの１ヵ月毎の平均の体重の変動量の継時変化を折れ線グラフとして表示することが可能に構成されている。また、体重は、０．１ｋｇ（１００ｇ）の単位で測定されている。また、体重を測定するタイミングは、明示されていないものの、１日の消費カロリー量という記載、１日の運動によって消費すべきエネルギー量という記載等から、１日に１回程度と考えられる。
【先行技術文献】
【特許文献】
【０００４】
【特許文献１】特開平１１−３３２８４５号公報
【発明の概要】
【発明が解決しようとする課題】
【０００５】
ここで、被測定者の体重（重量）は、生体活動として、飲食、発汗、排泄、運動および生活活動を行うことや、安静状態における不感蒸散等の様々な要因によっても変動する。しかしながら、上記特許文献１に記載の健康管理指針アドバイス装置（生体活動による変動測定装置）では、比較的長い時間間隔（１ヶ月毎の数ヶ月）かつ比較的大きな単位（１００ｇ）における重量の変動量を測定（表示）するように構成されている。上記様々な要因で体重が変動するため、１日の始まりや終わりに体重を測定して数日から数ヶ月にわたる重量変動を表示するとしても、日中に行った時間単位や分単位の比較的短い時間で行われる１つの生体活動（たとえば、運動としてのランニング等）の寄与による重量変動を直接的に把握することは難しいと考えられる。また、仮に、たとえば、１０分や１時間等の短い時間で行われる１つの生体活動の前後において体重を測定するとしても、１００ｇの単位で体重を測定しているため、運動等の１つの所定の生体活動において生じる比較的小さな重量変動を正確に測定（表示）することは難しいと考えられる。これらの結果、上記特許文献１に記載の健康管理指針アドバイス装置（生体活動による変動測定装置）では、１つの所定の生体活動に対応する短い時間間隔でかつ小さな単位における重量の変動量を測定（表示）することは難しいと考えられる。その結果、時間単位や分単位の比較的短い時間で行われる１つの所定の生体活動に対する重量変動を把握することが困難であるという問題点がある。
【０００６】
この発明は、上記のような課題を解決するためになされたものであり、この発明の１つの目的は、時間単位や分単位の比較的短い時間で行われる１つの所定の生体活動に対する重量変動を把握することが可能な生体活動による変動測定装置を提供することである。
【課題を解決するための手段】
【０００７】
上記目的を達成するために、この発明の第１の局面における生体活動による変動測定装置は、被測定者の１つの所定の生体活動の開始時から終了時までの間において、重量計測部により複数回測定された被測定者の重量の各々を、測定時刻と関連付けられた重量データとして記憶する重量データ記憶部と、重量データ記憶部に記憶された一の重量データに基づいて設定される基準点における重量データと、他の重量データとの差分により重量データの変動量を取得する制御部と、制御部により取得された１つの所定の生体活動に応じて変動する被測定者の重量データの基準点からの変動量を表示する表示部とを備えるように構成されている。
【０００８】
この発明の第１の局面による生体活動による変動測定装置では、上記のように、表示部を、１つの所定の生体活動の開始時から終了時までの間において、複数回測定された被測定者の重量データの基準点からの変動量を表示するように構成する。これにより、測定された重量データに基づいて変動量を取得（表示）するので、時間単位や分単位の比較的短い時間で行われる１つの生体活動（たとえば、ランニング等）により変動する、比較的小さな重量の変動量を取得（表示）することができる。たとえば、１００ｇ未満等の小さい単位（たとえば、１ｇや１０ｇ等）で測定された重量データに基づいて変動量を取得（表示）すれば、１つの所定の生体活動の開始時から終了時までの間に生じる比較的小さな重量の変動も測定することができる。その結果、１つの所定の生体活動に対する重量変動を把握することができる。また、基準点における重量データと他の重量データとの変動量を表示するので、他の測定時における（同一または異なる種類の）生体活動による重量データの変動量等と比較することが容易である。具体的には、着衣の違いや活動前の食事摂取の有無等の測定時における被測定者の条件が異なると、重量をグラフ上にプロットする際に、重量データの絶対量をそのままプロットして表示する場合は、グラフ上における出発点（開始時の重量）の高さ（Ｙ座標）が異なる複数の重量を並べて表示することになる。このため、各々の差異を容易に把握することができない。これに対して、本発明のように変動量を表示する場合は、グラフ上における出発点（基準点）の高さ（Ｙ座標）が揃うので、被測定者の条件が異なる複数の重量データの変動量等を容易に比較することができる。その結果、被測定者の条件の異なる他の測定時における（同一または異なる種類の）生体活動による複数の重量データの変動量等の差異が明確になりやすい。
【０００９】
なお、本発明において、「生体活動」とは、安静状態、安静状態より多くのエネルギーを消費する営みである生活活動、および、体力の維持・向上を目的として計画的・意図的に実施する運動を含む広い概念である。また、「１つの所定の生体活動」とは、安静状態、生活活動および運動のうち、１つの種類の生体活動（たとえば、生活活動としての徒歩移動、掃除等や、運動としてのランニング、水泳、または、腹筋１０回の後に腕立て１０回を続けて行うようなサーキットトレーニング等）が、一連の活動として行われていることを示している。すなわち、被測定者の重量を測定するために活動が一時的に中断されることは考慮せずに、生体活動（運動等）が一連の活動として行われる期間（活動開始から活動終了まで）をまとめて「１つ」としている。
【００１０】
上記第１の局面による生体活動による変動測定装置において、好ましくは、表示部は、１つの所定の生体活動としての１つの運動の開始時から終了時までの間において、測定された重量に基づいて、重量の変動量を表示部に表示するように構成されている。このように構成すれば、時間単位や分単位で行われる特定の１つの運動による重量の減少量を容易に把握することができる。
【００１１】
上記第１の局面による生体活動による変動測定装置において、好ましくは、制御部は、基準点からの変動量を、回帰分析により近似直線または近似曲線にフィッティングするとともに、フィッティングにより取得される近似直線または近似曲線に基づいて、複数の重量データの経過時間に伴う変動をグラフとして表示部に表示する制御を行うように構成されている。このように構成すれば、近似直線または近似曲線に基づくグラフの傾きにより、重量の変動率（変動の速度）の全体の傾向を容易に把握することができる。
【００１２】
上記第１の局面による生体活動による変動測定装置において、好ましくは、制御部は、重量データが所望の変動量に達するまでにかかる時間を、フィッティングにより取得された近似直線または近似曲線に基づいて推定して、表示部に表示する制御を行うように構成されている。このように構成すれば、取得された近似直線または近似曲線の数式に基づいて、同一の活動を続けた場合に重量データが所望の変動量に達するまでにかかる時間を容易に推定し、表示することができる。
【００１３】
上記第１の局面による生体活動による変動測定装置において、好ましくは、制御部は、単位時間あたりに換算した重量データの変動量を、フィッティングにより取得された近似直線または近似曲線に基づいて、表示部に表示する制御を行うように構成されている。このように構成すれば、単位時間あたりにどの程度重量データが変化するのかを正確に表示することができる。
【００１４】
上記目的を達成するために、この発明の第２の局面における生体活動による変動表示方法は、被測定者の１つの所定の生体活動の開始時から終了時までの間において、被測定者の重量を複数回測定するステップと、複数回測定された重量の各々を測定時刻と関連付けられた重量データとして記憶するステップと、記憶された一の重量データに基づいて設定される基準点における重量データと、他の重量データとの差分により重量データの変動量を取得するステップと、取得された１つの所定の生体活動に応じて変動する被測定者の重量データの基準点からの変動量を表示するステップとを備えるように構成されている。
【００１５】
この発明の第２の局面による生体活動による変動表示方法では、上記のように、１つの所定の生体活動の開始時から終了時までの間において、複数回測定された被測定者の重量データの基準点からの変動量を表示するステップを備えるように構成する。これにより、測定された重量データに基づいて変動量を取得（表示）するので、時間単位や分単位の比較的短い時間で行われる１つの生体活動（たとえば、ランニング等）により変動する、比較的小さな重量の変動量を取得（表示）することができる。たとえば、１００ｇ未満等の小さい単位（たとえば、１０ｇ）で測定された重量データに基づいて変動量を取得（表示）すれば、１つの所定の生体活動の開始時から終了時までの間に生じる比較的小さな重量の変動も測定することができる。その結果、１つの所定の生体活動に対する重量変動を把握することができる。また、基準点における重量データと他の重量データとの変動量を表示するので、他の測定時における（同一または異なる種類の）生体活動による重量データの変動量等と比較することが容易である。具体的には、着衣の違いや活動前の食事摂取の有無等の測定時における被測定者の条件が異なると、重量をグラフ上にプロットする際に、重量データの絶対量をそのままプロットして表示する場合は、グラフ上における出発点（開始時の重量）の高さ（Ｙ座標）が異なる複数の重量を並べて表示することになる。このため、各々の差異を容易に把握することができない。これに対して、本発明のように変動量を表示する場合は、グラフ上における出発点（基準点）の高さ（Ｙ座標）が揃うので、被測定者の条件が異なる複数の重量データの変動量等を容易に比較することができる。その結果、被測定者の条件の異なる他の測定時における（同一または異なる種類の）生体活動による複数の重量データの変動量等の差異が明確になりやすい。
【００１６】
上記第２の局面による生体活動による変動表示方法において、好ましくは、変動量を表示するステップは、１つの所定の生体活動としての１つの運動の開始時から終了時までの間において、測定された重量に基づいて、重量の変動量を表示するステップを含む。このように構成すれば、時間単位や分単位で行われる特定の１つの運動による重量の減少量を容易に把握することができる。
【発明の効果】
【００１７】
本発明によれば、上記のように、時間単位や分単位の比較的短い時間で行われる１つの所定の生体活動に対する重量変動を把握することができる。
【図面の簡単な説明】
【００１８】
【図１】本発明の一実施形態による生体活動による変動測定装置の構成を示した図である。
【図２】１人の被測定者の２つの作業の期間を含む生体活動による重量の時間変動を示すグラフである。
【図３】重量データの変動量を回帰分析した場合の複数の近似直線のグラフである。
【図４】１分あたりの重量データの変動量を表示する一例である。
【図５】１０分あたりの重量データの変動量を表示する一例である。
【図６】１００ｇの変動が生じるまでにかかる時間を表示する一例である。
【発明を実施するための形態】
【００１９】
以下、本発明を具体化した実施形態を図面に基づいて説明する。
【００２０】
［実施形態］
まず、図１を参照して、本発明の一実施形態による生体活動による変動測定装置１００の構成について説明する。
【００２１】
図１に示すように、実施形態による生体活動による変動測定装置１００は、重量計測部１と記憶部２と制御部３と表示部４とを備えている。また、重量計測部１と表示部４とは、それぞれ記憶部２および制御部３に接続されている。
【００２２】
重量計測部１は、被測定者の１つの所定の生体活動の開始時から終了時までの間において、１０ｇの単位で被測定者の重量を複数回測定することが可能に構成されている。また、測定された重量は、測定毎に測定時刻と関連付けられて記憶部２（後述）により記憶され、制御部３（後述）に出力される。具体的な測定の手順に関しては、後に詳しく説明する。
【００２３】
ここで、本実施形態では、記憶部２は、被測定者Ｐの１つの所定の生体活動の開始時から終了時までの間において、１０ｇの単位で測定可能な重量計測部１により複数回測定された被測定者Ｐの重量の各々を、測定時刻と関連付けられた重量データとして記憶する。また、記憶部２には、主制御部３１および処理部３２が実行する各種プログラムが格納されている。なお、記憶部２は、ＨＤＤ（ハードディスクドライブ）およびメモリなどにより構成されている。また、記憶部２は、特許請求の範囲の「重量データ記憶部」の一例である。
【００２４】
制御部３は、ＰＣ（パーソナルコンピュータ）などの情報処理装置により構成され、重量計測部１、記憶部２および表示部４と信号（情報）のやり取りを行う。制御部３は、ＣＰＵ（中央演算処理装置）などの主制御部３１と、変動量取得部３２１、回帰分析処理部３２２および画像処理部３２３を有する処理部３２とを含む。なお、図中の矢印は、信号（情報）のやり取りが行われていることを示している。
【００２５】
主制御部３１は、記憶部２に格納された制御プログラムを実行することによって、ＰＣを生体活動による変動測定装置１００の制御部３として機能させる。
【００２６】
また、本実施形態では、制御部３に含まれる変動量取得部３２１は、基準点における重量データと、他の重量データとの差分により重量データの変動量を取得する。また、変動量取得部３２１は、取得された重量データの変動量を回帰分析処理部３２２に出力する。なお、基準点は、たとえば、最初に測定された重量のデータである。重量データの取得について、詳しくは後に説明する。
【００２７】
また、本実施形態では、制御部３に含まれる回帰分析処理部３２２は、基準点からの変動量を、回帰分析により近似直線にフィッティングして、近似直線を取得する。また、回帰分析処理部３２２は、フィッティングにより取得される近似直線に基づいて、複数の重量データの経過時間に伴う変動のグラフを取得する。また、回帰分析処理部３２２は、重量データが所望の変動量に達するまでにかかる時間を、フィッティングにより取得された近似直線に基づいて推定する。また、回帰分析処理部３２２は、単位時間あたりに換算した重量データの変動量を、フィッティングにより取得された近似直線に基づいて取得する。
【００２８】
回帰分析処理部３２２により取得されたこれらの情報は、画像処理部３２３に出力される。すなわち、回帰分析処理部３２２は、変動量取得部３２１により取得された測定時刻に関連付けられた重量データに対して回帰分析を行い、フィッティングされた近似直線に基づく情報の信号を、画像処理部３２３に出力する。具体的な近似直線のグラフについては、後に詳しく説明する。
【００２９】
また、本実施形態では、制御部３に含まれる画像処理部３２３は、制御部３に含まれる変動量取得部３２１により取得された１つの所定の生体活動に応じて変動する被測定者の重量データの基準点からの変動量を表示させる。また、画像処理部３２３は、回帰分析処理部３２２により取得される近似直線に基づいて、複数の重量データの経過時間に伴う変動をグラフとして表示部４に表示させる。また、画像処理部３２３は、回帰分析処理部３２２によりフィッティングにより取得された近似直線に基づいて推定される重量データが所望の変動量に達するまでにかかる時間を表示部４に表示させる。また、画像処理部３２３は、回帰分析処理部３２２によりフィッティングにより取得された近似直線に基づいて取得される単位時間当たりに換算した重量データの変動量を表示部４に表示させる。
【００３０】
すなわち、画像処理部３２３は、被測定者の重量データの基準点からの変動量の情報、複数の重量データの経過時間に伴う変動のグラフ、重量データが所望の変動量に達するまでにかかる時間および単位時間あたりに換算した重量データの変動量等の情報を処理し、画像情報の信号として表示部４に出力する。
【００３１】
また、本実施形態では、表示部４は、画像処理部３２３により出力された信号（情報）に基づき、制御部３に含まれる変動量取得部３２１により取得された１つの所定の生体活動に応じて変動する被測定者の重量データの基準点からの変動量を表示する。また、表示部４は、画像処理部３２３により出力された信号（情報）に基づき、回帰分析処理部３２２により取得されるフィッティングされた近似直線に基づいて取得される、複数の重量データの経過時間に伴う変動のグラフ、重量データが所望の変動量に達するまでにかかる時間、および、単位時間あたりに換算した重量データの変動量等の画像情報（文字情報やグラフ等）を表示する。
【００３２】
（重量の測定と回帰分析）
次に、図２〜図６を参照して、生体活動による変動測定装置１００による重量の測定および重量データの変動量の回帰分析を行い、表示部４に表示する方法（生体活動による変動表示方法）について、手順に沿って説明する。
【００３３】
生体活動による変動測定装置１００は、たとえば、１つの所定の生体活動として、被測定者のある作業（運動）の開始時から終了時における被測定者Ｐの重量データ変動量を測定するとともに、重量データの変動量に対して回帰分析を行い、様々な値を取得し表示するように構成されている。なお、被測定者のある作業は、特許請求の範囲の「１つ所定の生体活動」の一例である。
【００３４】
まず、重量計測部１は、被測定者Ｐが、作業（運動）の開始時から終了時までの間において、１０ｇの単位で複数回の適当な回数（たとえば、１５分毎等）重量計測部１の天板に乗ることにより、被測定者の重量を測定する。次に、複数回測定された重量の各々は、測定時刻と関連付けられた重量データとして記憶部２に記憶される。次に、変動量取得部３２１により、記憶された一の重量データに基づいて設定される基準点における重量データと、他の重量データとの差分により重量データの変動量が取得される。
【００３５】
次に、回帰分析処理部３２２により、重量データの変動量にフィッティングされた近似直線が取得される。また、回帰分析処理部３２２により、取得された近似直線に基づいて、重量データが所望の変動量に達するまでにかかる時間、単位時間あたりに換算した重量データの変動量等が取得される。そして、これら１つの所定の生体活動に応じて変動する被測定者の重量データの基準点からの変動量等の測定および処理の結果が表示部４に表示される。
【００３６】
ここで、図２に基づいて、実際の測定データの一例を説明する。図２は、ある１人の被測定者Ｐの重量を時間軸に沿って測定した結果である。縦軸は、被測定者の絶対重量［ｋｇ］を示し、横軸は、測定時刻を示している。ここでは、被測定者Ｐは、作業（運動）時における重量の変動が測定されている。具体的には、被測定者Ｐは、期間Ａおよび期間Ｂの２つの測定期間において作業（運動）を行っている。ただし、２つの測定期間の合間に、飲食や排尿等が行われている。
【００３７】
９：３０ごろから１１：４５ごろまでの期間Ａにおいて、約１５分毎に１回の頻度で被測定者Ｐの重量が合計１０回測定され、重量データａ１、ａ２、…、ａ１０が記憶部２に取得されている。被測定者の重量は最初の（基準点の）測定時において、ａ１＝５８．４７ｋｇであり、最後の（１０回目の）測定時において、ａ１０＝５８．３９ｋｇである。そのため、約１３５分の間に約８０ｇの重量変動が起こっていることがわかる。すなわち、作業（運動）という１つの所定の生体活動に対して、測定開始時（ａ１）から測定終了時（ａ１０）までの間に、合計で約８０ｇの、単純平均で１０分あたり約５．９ｇの重量の減少（変動）が起こっていることがわかる。
【００３８】
ここで、期間Ａの後、被測定者Ｐは、排尿により重量が２５０ｇ減少し、昼食により重量が８５０ｇ増加している。また、昼食後に歩行等の活動や不感蒸散等により、重量が緩やかに漸減した後に、再び排尿により重量が２５０ｇの減少している。
【００３９】
その後、１６：００ごろから１７：３０ごろまでの間に、期間Ｂにおいて、約１５分毎に１回の頻度で被測定者Ｐの重量が合計７回測定され、重量データｂ１、ｂ２、…、ｂ７が記憶部２に取得されている。被測定者の重量は最初の（基準点の）測定時において、ｂ１＝５８．６２ｋｇであり、最後の（７回目の）測定時において、ｂ７＝５８．５８ｋｇである。そのため、約９０分の間に約４０ｇの重量変動が起こっていることがわかる。すなわち、作業（運動）という１つの所定の生体活動に対して、測定開始時（ｂ１）から測定終了時（ｂ７）までの間に、合計で約４０ｇの、単純平均で１０分あたり約４．４４ｇの重量の減少（変動）が起こっていることがわかる。
【００４０】
次に、図３に基づいて、上記のように取得される重量データの変動量に対して回帰分析を行い、様々な測定結果を取得する例について説明する。表示部４は、図３に示すように、重量データの変動量に対する回帰分析結果の近似直線および近似直線を与える数式を表示する。丸印でプロットされる重量データの変動量に基づく実線のグラフは、被測定者Ｐ１の作業（運動）時における重量変動を示す近似直線である。グラフの縦軸は、重量の変動量［ｇ］であり、横軸は、経過時間［ｍｉｎ］である。三角印でプロットされる重量データの変動量に基づく点線のグラフは、被測定者Ｐ１の実線で示される測定とは異なる日の作業（運動）時における重量変動を示す近似直線である。バツ印でプロットされる重量データの変動量に基づく一点鎖線のグラフは、被測定者Ｐ１とは異なる被測定者Ｐ２の作業（運動）時における重量変動を示す近似直線である。
【００４１】
なお、Ｒ2は、縦軸方向の全変動量に占める回帰変動量の割合を表す指標（決定係数）である。また、数式については、図３のように数式をそのまま表示してもよいし、数式そのものは表示せずに、直線の傾きに相当する部分（たとえば、丸印のグラフにおける−０．５６１６の値）に基づいて時間あたり（たとえば、１０分あたり）の変動量に直して、後述する時間あたりの変動量表示のように表示してもよい。
【００４２】
さらに、表示部４には、近似直線によるグラフの他、近似直線に基づいて、重量データが所望の変動量に達するまでにかかる時間、および、単位時間あたりに換算した重量データの変動量も表示される。具体的には、表示部４は、被測定者Ｐ２の測定結果を表示する場合、得られた重量変動の変化率（傾き）の値−０．８６４に基づいて、測定された１つの所定の生体活動（作業（運動））において、１分あたり約０．８６ｇ（図４参照）、１０分あたり約８．６４ｇ（図５参照）の重量減少が生じていることを表示する。また、表示部４は、得られた重量変動の変化率（傾き）の値−０．８６４に基づいて、同様の生体活動（作業（運動））を被測定者Ｐ２が維持し続けた場合に、所望の重量変動に達するまでどの程度の期間の運動を行う必要があるかを表示する。たとえば、１００ｇの変動にかかる目安の時間の表示を使用者により求められた場合に、表示部４は、１００／０．８６４の計算結果に基づいて、約１時間５６分（約１１６分、図６参照）と表示する。
【００４３】
なお、上記近似直線のグラフや、時間あたりの変動量、所望の変動量に達するまでに必要な運動量等は、表示部４に個別に表示してもよいし、同時に表示してもよい。また、表示部４を、現在（直近）の測定結果と、過去の測定結果とを比較して、それぞれの測定結果を同時に表示することが可能に構成してもよい。
【００４４】
また、比較的短期間における生体活動を測定する例を示したが、測定が長期間にわたる場合は、１つの所定の生体活動の途中で被測定者Ｐが水分摂取等を行うことによる重量の変動が生じてもよい。この際に、制御部３は、水分摂取等の大きな重量の変動の前後において重量データを分けて、それぞれについて回帰分析を行うことが可能に構成してもよい。
【００４５】
また、本実施形態による生体活動による変動測定装置１００は、回帰分析による近似直線に基づいて、重量の変動量や変動率の全体の傾向を把握することができる。そのため、
被測定者Ｐが自身のある生体活動による代謝量（重量の変動量や変動率）と別の生体活動による代謝量や自身と他者との間でのある生体活動による代謝量を比較し、作業（運動）内容や個人によって代謝量が異なることを定量的に理解することが可能である。
【００４６】
また、運動効果を消費カロリーなどにより表示する場合と比較して、被測定者Ｐ自身の重量の変動を表示するため、被測定者Ｐが運動の効果をより実感することができる。さらに、異なる日時における重量変動と比較することにより、被測定者Ｐ自身の代謝量の変動（たとえば、筋量の増加に伴って代謝量が増加した、運動の強度が上がった等）を把握することができる。
【００４７】
また、被測定者Ｐが自身の運動量や運動効果を把握し実感・評価するために使用する他、被測定者Ｐの運動を管理・指導するトレーナーが、運動の管理・指導の指標を得るために使用することもできる。
【００４８】
また、本実施形態による生体活動による変動測定装置１００は、被測定者Ｐが自身の生体活動による代謝量（重量の変動量や変動率）を把握するために使用する他、医師や介護士等が患者（被測定者Ｐ）の健康状態を管理するために使用することができる。具体的には、認知症や運動器疾患の始まる前兆として、筋量の低下や筋肉の可動範囲の減少が生じることが知られている。これにより、たとえば、同一の所定の生体活動による重量の変動量が減少するため、認知症や運動器疾患の始まる前兆を適切に把握することができる。そのため、たとえば、生体活動としての安静状態や歩行（生活活動または運動の一例）等による重量の変動量（変動率）を定期的に取得することにより、患者（被測定者Ｐ）の筋量等に関連する代謝量の変化を把握し、患者（被測定者Ｐ）の健康状態を推定するための指標を得ることができる。
【００４９】
また、患者（被測定者Ｐ）の安静状態における不感蒸散等に起因する重量変動を把握することにより、患者（被測定者Ｐ）の水分管理を適切に行うことができる。具体的には、体重の変動量から、患者（被測定者Ｐ）の水分減少量を推定し、点滴等により患者（被測定者Ｐ）に投与すべき水分量を把握することができる。また、たとえば、心不全により体内水分量の増加が生じることが知られている。そのため、水分管理により患者（被測定者Ｐ）の病状（心不全等）の前兆を発見するために用いることもできる。
【００５０】
また、本実施形態による生体活動による変動測定装置１００は、代謝に関連する健康食品等（たとえば、脂肪の燃焼や発汗を促す効果があるとされる食品等）の摂取による重量の変動量から代謝量（重量の変動量や変動率）の変化を把握し、健康食品等の効果を評価することができる。
【００５１】
（実施形態の効果）
本実施形態では、以下のような効果を得ることができる。
【００５２】
本実施形態では、上記のように、表示部４を、１つの所定の生体活動（作業（運動）等）の開始時から終了時までの間において、複数回測定された被測定者Ｐの重量データの基準点からの変動量を表示するように構成する。これにより、１０ｇの単位で測定された重量データに基づいて変動量を取得（表示）するので、時間単位や分単位の比較的短い時間で行われる１つの生体活動（作業（運動）等）により変動する、比較的小さな重量の変動量を取得（表示）することができる。その結果、１つの所定の生体活動に対する重量変動を把握することができる。また、基準点における重量データと他の重量データとの変動量を表示するので、他の測定時における（同一または異なる種類の）生体活動による重量データの変動量等と比較することが容易である。具体的には、着衣の違いや活動前の食事摂取の有無等の測定時における被測定者の条件が異なると、重量をグラフ上にプロットする際に、重量データの絶対量をそのままプロットして表示する場合は、グラフ上における出発点（開始時の重量）の高さ（Ｙ座標）が異なる複数の重量を並べて表示することになる。このため、各々の差異を容易に把握することができない。これに対して、本実施形態のように変動量を表示する場合は、グラフ上における出発点（基準点）の高さが揃うので、被測定者の条件が異なる複数の重量データの変動量等を容易に比較することができる。その結果、被測定者の条件の異なる他の測定時における（同一または異なる種類の）生体活動による複数の重量データの変動量等の差異が明確になりやすい。
【００５３】
また、本実施形態では、上記のように、表示部４を、１つの所定の生体活動としての１つの運動の開始時から終了時までの間において、測定された重量に基づいて、重量の変動量を表示部４に表示するように構成する。これにより、時間単位や分単位で行われる特定の１つの運動による重量の減少量を容易に把握することができる。
【００５４】
また、本実施形態では、上記のように、制御部３（回帰分析処理部３２２および画像処理部３２３）を、基準点からの変動量を、回帰分析により近似直線にフィッティングするとともに、フィッティングにより取得される近似直線に基づいて、複数の重量データの経過時間に伴う変動をグラフとして表示部４に表示する制御を行うように構成する。これにより、近似直線に基づくグラフの傾きにより、重量の変動率（変動の速度）の全体の傾向を容易に把握することができる。
【００５５】
また、本実施形態では、上記のように、制御部３（回帰分析処理部３２２および画像処理部３２３）を、重量データが所望の変動量に達するまでにかかる時間を、フィッティングにより取得された近似直線に基づいて推定して、表示部４に表示する制御を行うように構成する。これにより、取得された近似直線の数式に基づいて、同一の活動を続けた場合に重量データが所望の変動量に達するまでにかかる時間を容易に推定し、表示することができる。
【００５６】
また、本実施形態では、上記のように、制御部３（回帰分析処理部３２２および画像処理部３２３）を、単位時間あたりに換算した重量データの変動量を、フィッティングにより取得された近似直線に基づいて、表示部４に表示する制御を行うように構成する。これにより、単位時間あたりにどの程度重量データが変化するのかを正確に表示することができる。
【００５７】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５８】
たとえば、上記実施形態では、作業（運動）を行う被測定者に対して重量データの変動量を測定する例を示したが、本発明はこれに限られない。本発明では、スポーツジム等に設置される生体活動の変動測定装置により、被測定者の運動による代謝量（重量の変動量や変動率）を測定するように構成してもよい。具体的には、たとえば、重量計測部は、被測定者の重量を、非測定者がランニングマシンやフィットネスバイク等による３０分の運動（生体活動としての運動）を行うことに対してどの程度重量変動が生じるかを把握するために重量を１０ｇの単位で測定する。運動の開始前に、被測定者は、重量計測部により自身の重量を測定する。そして、被測定者は、たとえば、約１０分間運動する毎に、ランニングマシンやフィットネスバイク等の付近に設置された生体活動による変動測定装置に移動し、自身の重量を測定する。したがって、重量計測部１により、ランニング等の前の１回と、ランニング等の合間に１０分毎の２回と、ランニング等の終了時点の１回との合計４回の重量測定が行われる。測定結果の重量は、測定時刻と関連付けて記憶部に記憶される。なお、ランニングマシンやフィットネスバイク等による運動は、特許請求の範囲の「１つの運動」の一例である。
【００５９】
このとき、変動量取得部は、最初に測定された重量を基準点とし、後に測定される重量との差分（重量の減少量）を変動量として取得する。そして、回帰分析処理部は、変動量取得部により取得された被測定者の重量の変動量に基づいて、近似直線を取得するとともに、近似直線に基づいて、時間あたりの変動量や所望の変動量に達するまでにかかる時間等の情報が取得される。そして、取得された被測定者の運動による重量変動の測定結果および処理結果の情報（文字情報およびグラフ等）は、画像処理部による処理を受けて、表示部に表示される。
【００６０】
なお、約１０分間とは、厳密に１０分である必要はなく、多少の時間的前後や測定抜け（測定忘れ）があっても構わない。また、ランニング等の合間に測定される回数も２回に限らず、例えば、１５分経過時点で１回だけ測定するのでもよい。また、ランニング等の合間に測定が行われなくてもよい。すなわち、通算３０分のランニング等の開始時から終了時までの間に、少なくとも時間的に間隔の空いた２回以上の測定が行われればよい。また、被測定者が一定距離を走る毎に重量の測定が行われる等、時間経過以外の基準に基づいて重量の測定が行われてもよい。
【００６１】
また、生体活動による変動測定装置は、食事前後の被測定者の体重の差分（重量の変動量）を測定してもよい。具体的には、従来、食事内容の写真等を送信して食事内容から摂取したカロリーの推定（計算）が行われていたが、実際の重量の変動量を取得しておらず、定性的な把握となっていた。一方、重量計測部により食事の前後において被測定者の実際の重量データの変動量を取得することにより、食事による重量への効果（影響）を定量的に把握することが可能となる。これにより、被測定者は生体活動による変動測定装置を用いて食事による重量データの変動量も含めて管理することができる。また、図２に示したような、食事や排泄（排尿）等による重量変動を含めて測定してもよい。
【００６２】
なお。本発明の生体活動による変動測定装置は、使用者が、使用者の自宅等に設置されて（個人所有されて）いるものを使用してもよいし、職場、ウェルネスサービス、レストラン、スポーツジム、病院等に常設されているものを使用してもよい。また、設置場所の異なる複数の生体活動による変動測定装置（または、生体活動による変動表示方法が実施可能な装置）の間で測定された重量等（重量、重量データ、回帰分析結果等）のやり取りが可能となるように構成し、同一の被測定者が異なる場所（装置）で測定した重量等（重量、重量データ、回帰分析結果等）を合わせて処理したり表示したりすることが可能となるように構成してもよい。
【００６３】
また、上記実施形態では、被測定者が両足で重量計測部にのることにより重量を測定する例（図１参照）を示したが、本発明はこれに限らない。本発明では、被測定者が片足で重量計測部にのることにより重量を測定するように構成してもよい。これにより、重量計測部のサイズを小さくして軽量化するとともに、より携帯しやすい可搬型として構成することができる。
【００６４】
また、上記実施形態では、重量計測部が生体活動による変動測定装置に含まれる例を示したが、本発明はこれに限られない。本発明では、生体活動による変動測定装置に重量計測部は装置に含まれていなくてもよい。具体的には、生体活動による変動測定装置とは別個に設けられた被測定者の重量を測定する装置との通信により重量データが取得されるように構成してもよいし、使用者自身が生体活動による変動測定装置に対して被測定者の重量の測定結果を直接入力することにより重量データが取得されるように構成してもよい。
【００６５】
また、上記実施形態では、重量計測部により測定される重量の単位が１０ｇである例を示したが、本発明はこれに限られない。本発明では、重量計測部により測定される重量の単位は、１つの所定の生活活動による被測定者の重量の変動を測定できる精度であればよい。たとえば、１０ｇより大きい単位である２０ｇや５０ｇ等、または、１０ｇより小さい単位である１ｇや５ｇ等の比較的小さい単位（たとえば、１００ｇ未満の単位）により構成してもよい。
【００６６】
また、上記実施形態では、重量データの時間あたりの変動量が表示される場合の時間の単位が、１分毎や１０分毎である例を示したが、本発明はこれに限られない。本発明では、重量データの時間あたりの変動量が表示される場合の時間の単位を、任意の量（たとえば、１時間毎等）で表示してもよい。また、使用者が表示する時間単位を入力し、選択できるように構成してもよい。
【００６７】
また、上記実施形態では、重量データが所望の変動量に達するまでにかかる時間を表示する場合に、所望の変動量が１００ｇである例を示したが、本発明はこれに限られない。本発明では、所望の変動量は、任意の量（たとえば、１ｋｇ等）でよい。また、使用者が所望の変動量を入力し、選択できるように構成してもよい。
【００６８】
また、上記実施形態では、重量の変動量を求める際の基準点を最初に測定された重量とする例を示したが、本発明はこれに限られない。本発明では、たとえば、生体活動の終了時に測定された重量等、最初に測定された重量以外の重量を基準点としてもよい。
【００６９】
また、上記実施形態では、回帰分析により重量データの変動量を近似直線にフィッティングする例を示したが、本発明はこれに限られない。本発明では、回帰分析により重量データの変動量を、近似曲線にフィッティングしてもよい。たとえば、運動の実施が継続されるにつれて重量の減少量が徐々に増加（減少）するような場合には、近似曲線によるフィッティングを行うほうがよい。なお、「近似曲線」は、たとえば、指数関数、対数関数や冪乗関数等の初等関数やその組み合わせによる曲線を含む。
【００７０】
また、上記実施形態では、表示部、記憶部および制御部のそれぞれが重量計測部と別個に設けられている例を示したが、本発明はこれに限られない。本発明では、表示部、記憶部および制御部のうちのいくつか（または、全て）と重量計測部とが一体構成されていてもよい。また、制御部中の画像処理部を制御部本体とは別のハードウェアとして構成してもよい。
【００７１】
また、上記実施形態では、表示部に生体活動による変動測定装置による測定結果および処理結果の情報（変動量や変動量に基づくグラフ等）を表示する例を示したが、本発明はこれに限られない。本発明では、表示部への表示に加えて、測定結果および処理結果の情報が使用者の所持するスマートフォンやタブレット端末、ＰＣ等に出力され、使用者が自身の所持するスマートフォンやタブレット端末、ＰＣ等により測定結果および処理結果の情報を閲覧できるように構成してもよい。
【００７２】
また、上記実施形態では、制御部および表示部が重量計測部と接続されたＰＣ等により構成される例を示したが、本発明はこれに限られない。本発明では、被測定者の所持するスマートフォンやタブレット端末、ＰＣ等に、生体活動による変動量表示方法が実行可能なソフトウェアをダウンロード等の方法によりインストールし実行させることにより、使用者の所持するスマートフォンやタブレット端末、ＰＣ等を生体活動による変動量測定装置の制御部および表示部として機能させてもよい。この場合、たとえば、重量計測部により測定された被測定者の重量の情報が被測定者の所持するスマートフォンやタブレット端末、ＰＣ等に出力され、使用者の所持するスマートフォンやタブレット端末、ＰＣ等により入力された重量データが処理され、処理の結果がスマートフォンやタブレット端末、ＰＣ等の表示部に表示されるように構成してもよい。
【００７３】
一例として、重量計測部と画像処理部を除く制御部とを被測定者が体重を測るための筐体に設け、画像処理部と表示部とをスマートフォン等に設けてもよい。このとき、被測定者が筐体に設けられる被測定者の重量を測定するための測定部（重量計測部の測定台部等）にのると、被測定者の重量が測定され、重量データの取得から回帰分析等のデータ処理（計算）までの処理が筐体内の制御部（画像処理部を除く制御部）により行われる。次に、処理結果の情報がスマートフォン等に送信され、スマートフォン等の画面サイズ等に応じた画像処理がスマートフォン内の画像処理部（ＣＰＵ等の情報処理装置）により行われ、スマートフォンの表示部に変動量のグラフや時間当たりの重量変動量等が表示される。
【００７４】
また、上記実施形態では、生体活動による変動表示方法が被測定者の重量データの変動量を表示する変動測定装置に適用される例を示したが、本発明はこれに限られない。本発明では、生体活動による変動表示方法を、被測定者の重量データ変動量を表示することに加えて、被測定者の消費カロリー、体脂肪量（率）、除脂肪量、心拍数、睡眠の深さ等の体に関する数値データを総合的に表示するように構成された活動量計に対して適用してもよい。
【符号の説明】
【００７５】
１  重量計測部
２  記憶部（重量データ記憶部）
３  制御部
４  表示部
１００  生体活動による変動測定装置
Ｐ、Ｐ１、Ｐ２  被測定者
【図１】
2018124242.tif 000003
【図２】
2018124242.tif 000004
【図３】
2018124242.tif 000005
【図４】
2018124242.tif 000006
【図５】
2018124242.tif 000007
【図６】
2018124242.tif 000008